(57)【要約】【課題】背面投影型リアスクリーン（単に透過型スクリーンとも称す）を構成する透光性基材とレンチキュラーレンズアレイを有する透明支持体層に更に別の透明支持体層を追加してスクリーンを構成するシートを厚くして機械強度を向上させ、軟化点近傍の温度で反り付けを行っても、反り量、ねじれ量を小さくすることができるようにする。【解決手段】背面投影型リアスクリーンに使用され、透光性基材層１１と、垂直一次元方向を長手方向とするシリンドリカルレンズの単位レンズを水平方向に平行に複数単位並列したレンチキュラーレンズからなるレンズアレイ１７を表面に有する透明支持体層１６とを、その透明支持体層１６裏面にて粘着剤層１４を介して貼り合わせることで形成されるレンチキュラーレンズシートであって、前記透光性基材層１１と透明支持体層１６との間に、更に第２の透明支持体層１３を有する。【選択図】図１
2006235447.tif 000002
【特許請求の範囲】
【請求項１】
背面投影型リアスクリーンに使用され、透光性基材層１１と、垂直一次元方向を長手方向とするシリンドリカルレンズの単位レンズを水平方向に平行に複数単位並列したレンチキュラーレンズからなるレンズアレイ１７を表面に有する透明支持体層１６とを、その透明支持体層１６裏面にて粘着剤層１４を介して貼り合わせることで形成されるレンチキュラーレンズシートであって、前記透光性基材層１１と透明支持体層１６との間に、更に第２の透明支持体層１３を有することを特徴とする光学部材。
【請求項２】
背面投影型リアスクリーンに使用され、透光性基材層１１と、垂直一次元方向を長手方向とするシリンドリカルレンズの単位レンズを水平方向に平行に複数単位並列し、水平一次元方向を長手方向とするシリンドリカルレンズの単位レンズを垂直方向に平行に平面的に複数単位並列したクロスレンチキュラーレンズからなるレンズアレイ１７を表面に有する透明支持体層１６とを、その透明支持体層１６裏面にて粘着剤層１４を介して貼り合わせることで形成される光拡散性のクロスレンチキュラーレンズシートであって、前記透光性基材層１１と透明支持体層１６との間に、更に第２の透明支持体層１３を有することを特徴とする光学部材。
【請求項３】
背面投影型リアスクリーンに使用され、透光性基材層１１と、二次元方向に平面的に片側凸レンズ状の単位レンズを枡目状又は市松状の略マトリックス状に複数単位配列したマイクロレンズからなるレンズアレイ１７を表面に有する透明支持体層１６とを、その透明支持体層１６裏面にて粘着剤層１４を介して貼り合わせることで形成される光拡散性のマイクロレンズシートであって、前記透光性基材層１１と透明支持体層１６との間に、更に第２の透明支持体層１３を有することを特徴とする光学部材。
【請求項４】
背面投影型リアスクリーンに使用され、透光性基材層１１と、垂直一次元方向を長手方向とする断面形状が略台形であって該台形の下底を入射側その上底を観察者側とすると共に該台形の斜辺部分にはそれぞれ異なる透明屈折率層が形成された台形プリズムレンズの単位レンズを水平方向に平行に複数単位並列した台形プリズムレンズ群からなるレンズアレイ１７を表面に有する透明支持体層１６とを、その透明支持体層１６裏面にて粘着剤層１４を介して貼り合わせることで形成される光拡散性の台形プリズムレンズシートであって、前記透光性基材層１１と透明支持体層１６との間に、更に第２の透明支持体層１３を有することを特徴とする光学部材。
【請求項５】
背面投影型リアスクリーンに使用され、透光性基材層１１と、垂直一次元方向を長手方向とする断面形状が略台形であって該台形の下底を入射側その上底を観察者側とすると共に該台形の斜辺部分にはそれぞれ異なる透明屈折率層が形成された台形プリズムレンズの単位レンズを水平方向に平行に複数単位並列し、水平一次元方向を長手方向とする前記単位レンズと同一形状の単位レンズを垂直方向に平行に複数単位並列したクロス台形プリズムレンズからなるレンズアレイ１７を表面に有する透明支持体層１６とを、その透明支持体層１６裏面にて粘着剤層１４を介して貼り合わせることで形成される光拡散性のクロス台形プリズムレンズシートであって、前記透光性基材層１１と透明支持体層１６との間に、更に第２の透明支持体層１３を有することを特徴とする光学部材。
【請求項６】
背面投影型リアスクリーンに使用され、透光性基材層１１と、二次元方向に平面的に断面形状が略台形であって該台形の下底を入射側その上底を観察者側とすると共に該台形の斜辺部分にはそれぞれ異なる透明屈折率層が形成された台形プリズムレンズの単位レンズを枡目状又は市松状の略マトリックス状に複数単位配列した台形プリズムレンズ群からなるレンズアレイ１７を表面に有する透明支持体層１６とを、その透明支持体層１６裏面にて粘着剤層１４を介して貼り合わせることで形成される光拡散性の台形プリズムレンズシ
ートであって、前記透光性基材層１１と透明支持体層１６との間に、更に第２の透明支持体層１３を有することを特徴とする光学部材。
【請求項７】
請求項１乃至６のいずれか１項記載の光学部材において、前記透光性基材層１１、透明支持体層１６のレンズアレイ１７と反対面側、第２の透明支持体層１３のうち、少なくともいずれか１つの面に、ヘイズ値６０％以上となる光拡散性を有する光拡散層を設けたことを特徴とする光学部材。
【請求項８】
請求項１乃至７のいずれか１項記載の光学部材において、前記透明支持体層１６と第２の透明支持体層１３の主成分が同じであり、且つ線膨張係数がほぼ等しいことを特徴とする光学部材。
【請求項９】
請求項１乃至８のいずれか１項記載の光学部材において、前記透明支持体層１６と第２の透明支持体層１３が、それぞれ互いの成形時の流れ方向が互いに平行になるように貼り合わせられていることを特徴とする光学部材。
【請求項１０】
請求項１乃至９のいずれか１項記載の光学部材において、前記透光性基材層１１と透明支持体層１６が、それぞれ互いの成形時の流れ方向が互いに平行になるように貼り合わせられていることを特徴とする光学部材。
【請求項１１】
請求項１乃至１０のいずれか１項記載の光学部材において、前記透光性基材層１１と第２の透明支持体層１６が、それぞれ互いの成形時の流れ方向が互いに平行になるように貼り合わせられていることを特徴とする光学部材。
【請求項１２】
請求項１乃至１１のいずれか１項記載の光学部材において、前記透明支持体層１６のレンズアレイ１７面が前記透光性基材層１１側を向くように貼り合わせられていることを特徴とする光学部材。
【請求項１３】
請求項１乃至１２のいずれか１項記載の光学部材において、前記第２の透明支持体層１３が光学部材に一定形状の反りを付与した時のねじれ（左右の反り量の差）を抑制することを特徴とする光学部材。
【請求項１４】
請求項１乃至１３のいずれか１項記載の光学部材において、前記第２の透明支持体層１３が光学部材に対して軟化点近傍の温度で反り付けを行ったときの反り量を抑制することを特徴とする光学部材。
【請求項１５】
請求項１乃至１４のいずれか１項記載の光学部材において、前記第２の透明支持体層１３が光学部材の断裁における光学部材角部に発生する刃潰れを抑制することを特徴とする光学部材。
【請求項１６】
請求項１乃至１５のいずれか１項記載の光学部材を用いた背面投影型リアスクリーンであって、前記光学部材の透光性基材層１１側である映像投影側にフレネルレンズシートが配置されていることを特徴とする背面投影型リアスクリーン。
【請求項１７】
請求項１乃至１５のいずれか１項記載の光学部材を製造する光学部材の製造方法であって、前記光学部材の透明支持体層１６のレンズアレイ１７と反対面に遮光層１５を設けた後に、該透明支持体層１６の遮光層１５側に、前記光学部材の第２の透明支持体層１３を第２の粘着剤層１４を介して貼り合わせ、その後に、該第２の透明支持体層１３に前記光学部材の透光性基材層１１を第１の粘着剤層１２を介して貼り合わせることを特徴とする光学部材の製造方法。
【請求項１８】
請求項１乃至１５のいずれか１項記載の光学部材を製造する光学部材の製造方法であって、前記光学部材の透光性基材層１１の片面に遮光層１５を設けた後に、前記光学部材の透明支持体層１６のレンズアレイ１７と反対面に第２の透明支持体層１３を第２の粘着剤層１４を介して貼り合わせ、その後に、該第２の透明支持体層１３に前記透光性基材層１１の遮光層１５側を第１の粘着剤層１２を介して貼り合わせることを特徴とする光学部材の製造方法。
【請求項１９】
請求項１６記載の背面投影型リアスクリーンを製造する背面投影型リアスクリーンの製造方法であって、前記背面投影型リアスクリーンの透明支持体層１６のレンズアレイ１７と反対面に遮光層１５を設けた後に、該透明支持体層１６の遮光層１５側に前記背面投影型リアスクリーンの第２の透明支持体層１３を第２の粘着剤層１４を介して貼り合わせ、その後に、該第２の透明支持体層１３に前記背面投影型リアスクリーンの透光性基材層１１を第１の粘着剤層１２を介して貼り合わせることを特徴とする背面投影型リアスクリーンの製造方法。
【請求項２０】
請求項１６記載の背面投影型リアスクリーンを製造する背面投影型リアスクリーンの製造方法であって、前記背面投影型リアスクリーンの透光性基材層１１の片面に遮光層１５を設けた後に、前記背面投影型リアスクリーンの透明支持体層１６のレンズアレイ１７と反対面に第２の透明支持体層１３を第２の粘着剤層１４を介して貼り合わせ、その後に、該第２の透明支持体層１３に前記透光性基材層１１の遮光層１５側を第１の粘着剤層１２を介して貼り合わせることを特徴とする背面投影型リアスクリーンの製造方法。
【発明の詳細な説明】
【技術分野】
【０００１】
本発明は、背面投影型リアプロジェクションテレビやディスプレイなどに用いられる光学部材、及び背面投影型リアスクリーン、及び光学部材の製造方法、及び背面投影型リアスクリーンの製造方法に関する。
【背景技術】
【０００２】
一般的に背面投影型リアプロジェクションテレビ向けの背面投影型リアスクリーンは、観察者側に配置されるレンチキュラーレンズシートと、映像投影側（光源側）に配置するフレネルレンズシートとの重ね合わせによる組み合わせにより構成されている。
【０００３】
背面投影型リアプロジェクションテレビ（以下、単にリアプロジェクションテレビと称す）に用いられる背面投影型リアスクリーン（単に透過型スクリーンとも称す）は、広視野角、高解像度、高コントラスト、そしてギラツキ（輝点ノイズ）の少ないものが求められており、視野角が広いと、観察者にとっては映像可視領域が広くなり、コントラストが高いと、映像の視認性が高くなり、ギラツキが少ないと、観察者の眼の疲労が少なくなるなどの利点がある。
【０００４】
また、解像度が低下する原因としては、環境温度、環境湿度の変化により、レンチキュラーレンズシートとフレネルレンズシートの間に浮きが生じてしまうことが指摘されている。
【０００５】
例えば、特開平５−２０４０４８などのように、透過型スクリーンを構成するレンチキュラーレンズシート若しくはフレネルレンズシートを、そのスクリーンの樹脂軟化点の近傍で湾曲させることにより、互いの密着性を向上させる手法が公知となっている。
【０００６】
ところで、レンチキュラーレンズシートとフレネルレンズシートとの組み合わせにおいては、レンチキュラーレンズシートのレンチキュラーレンズアレイ面側とフレネルレンズシートのフレネルレンズアレイ面側とを互いに対向させて重ね合わせて組み合わせる方式と、レンチキュラーレンズシートのレンチキュラーレンズアレイ面とフレネルレンズシートのフレネルレンズアレイ面でない平坦面側とを互いに対向させて重ね合わせる方式がある。
【０００７】
例えば、レンチキュラーレンズシートのレンチキュラーレンズアレイ面側とフレネルレンズシートのフレネルレンズアレイ面側とを互いに対向させて重ね合わせて組み合わせる方式においては、樹脂製のレンチキュラーレンズシートでは、透過型スクリーンのスクリーン基材としては剛性が小さいために浮きが生じ易いため、浮きが生じない程度の反り量にしてしまうと、重ね合わせたフレネルレンズシートのレンズアレイ面に、レンチキュラーレンズシートのレンチキュラーレンズアレイ面が接触して擦れ合い、特にフレネルレンズの鋸歯形状のレンズ先端にレンズ潰れ（刃潰れ）が生じてしまい、また、例えば、レンチキュラーレンズシートのレンチキュラーレンズアレイ面側とフレネルレンズシートのフレネルレンズアレイ面と反対面の平坦面側とを互いに対向させて重ね合わせて組み合わせる方式においては、重ね合わせたフレネルレンズシートの平坦面にレンチキュラーレンズシートのレンチキュラーレンズアレイ面が接触して擦れ合い、レンチキュラーレンズアレイのレンズ先端にレンズ潰れや傷が生じてしまい、画像が正しく表示されなかったり、必要以上の反り量によりスクリーンが凹んだ状態になって画像が歪んで見えることがある。また、スクリーンは平面であることが望まれており、できる限り反りは少ないことが望まれている。
【０００８】
以下に、公知の特許文献を記載する。
【特許文献１】特開平５−２０４０４８号公報
【発明の開示】
【発明が解決しようとする課題】
【０００９】
本発明の課題は、上記の技術的背景を考慮してなされたものであり、背面投影型リアスクリーン（単に透過型スクリーンとも称す）を構成する透光性基材とレンチキュラーレンズアレイを有する透明支持体層に更に別の透明支持体層を追加して、スクリーンを構成するシートを厚くして機械強度を向上させることにより、軟化点近傍の温度で反り付けを行っても、反り量、ねじれ量を小さくすることができるとともに、刃潰れなどを抑制させることが可能になる光学部材及び背面投影型リアスクリーン及び光学部材の製造方法及び背面投影型リアスクリーンの製造方法を提供することにある。
【課題を解決するための手段】
【００１０】
本発明の請求項１に係る発明は、背面投影型リアスクリーンに使用され、透光性基材層１１と、垂直一次元方向を長手方向とするシリンドリカルレンズの単位レンズを水平方向に平行に複数単位並列したレンチキュラーレンズからなるレンズアレイ１７を表面に有する透明支持体層１６とを、その透明支持体層１６裏面にて粘着剤層１４を介して貼り合わせることで形成されるレンチキュラーレンズシートであって、前記透光性基材層１１と透明支持体層１６との間に、更に第２の透明支持体層１３を有することを特徴とする光学部材である。
【００１１】
本発明の請求項２に係る発明は、背面投影型リアスクリーンに使用され、透光性基材層１１と、垂直一次元方向を長手方向とするシリンドリカルレンズの単位レンズを水平方向に平行に複数単位並列し、水平一次元方向を長手方向とするシリンドリカルレンズの単位レンズを垂直方向に平行に平面的に複数単位並列したクロスレンチキュラーレンズからなるレンズアレイ１７を表面に有する透明支持体層１６とを、その透明支持体層１６裏面にて粘着剤層１４を介して貼り合わせることで形成される光拡散性のクロスレンチキュラーレンズシートであって、前記透光性基材層１１と透明支持体層１６との間に、更に第２の透明支持体層１３を有することを特徴とする光学部材である。
【００１２】
本発明の請求項３に係る発明は、背面投影型リアスクリーンに使用され、透光性基材層１１と、二次元方向に平面的に片側凸レンズ状の単位レンズを枡目状又は市松状の略マトリックス状に複数単位配列したマイクロレンズからなるレンズアレイ１７を表面に有する透明支持体層１６とを、その透明支持体層１６裏面にて粘着剤層１４を介して貼り合わせることで形成される光拡散性のマイクロレンズシートであって、前記透光性基材層１１と透明支持体層１６との間に、更に第２の透明支持体層１３を有することを特徴とする光学部材である。
【００１３】
本発明の請求項４に係る発明は、背面投影型リアスクリーンに使用され、透光性基材層１１と、垂直一次元方向を長手方向とする断面形状が略台形であって該台形の下底を入射側その上底を観察者側とすると共に該台形の斜辺部分にはそれぞれ異なる透明屈折率層が形成された台形プリズムレンズの単位レンズを水平方向に平行に複数単位並列した台形プリズムレンズ群からなるレンズアレイ１７を表面に有する透明支持体層１６とを、その透明支持体層１６裏面にて粘着剤層１４を介して貼り合わせることで形成される光拡散性の台形プリズムレンズシートであって、前記透光性基材層１１と透明支持体層１６との間に、更に第２の透明支持体層１３を有することを特徴とする光学部材である。
【００１４】
本発明の請求項５に係る発明は、背面投影型リアスクリーンに使用され、透光性基材層１１と、垂直一次元方向を長手方向とする断面形状が略台形であって該台形の下底を入射側その上底を観察者側とすると共に該台形の斜辺部分にはそれぞれ異なる透明屈折率層が形成された台形プリズムレンズの単位レンズを水平方向に平行に複数単位並列し、水平一次元方向を長手方向とする前記単位レンズと同一形状の単位レンズを垂直方向に平行に複数単位並列したクロス台形プリズムレンズからなるレンズアレイ１７を表面に有する透明支持体層１６とを、その透明支持体層１６裏面にて粘着剤層１４を介して貼り合わせることで形成される光拡散性のクロス台形プリズムレンズシートであって、前記透光性基材層１１と透明支持体層１６との間に、更に第２の透明支持体層１３を有することを特徴とする光学部材である。
【００１５】
本発明の請求項６に係る発明は、背面投影型リアスクリーンに使用され、透光性基材層１１と、二次元方向に平面的に断面形状が略台形であって該台形の下底を入射側その上底を観察者側とすると共に該台形の斜辺部分にはそれぞれ異なる透明屈折率層が形成された台形プリズムレンズの単位レンズを枡目状又は市松状の略マトリックス状に複数単位配列した台形プリズムレンズ群からなるレンズアレイ１７を表面に有する透明支持体層１６とを、その透明支持体層１６裏面にて粘着剤層１４を介して貼り合わせることで形成される光拡散性の台形プリズムレンズシートであって、前記透光性基材層１１と透明支持体層１６との間に、更に第２の透明支持体層１３を有することを特徴とする光学部材である。
【００１６】
本発明の請求項７に係る発明は、上記請求項１乃至６のいずれか１項に係る光学部材において、前記透光性基材層１１、透明支持体層１６のレンズアレイ１７と反対面側、第２の透明支持体層１３のうち、少なくともいずれか１つの面に、ヘイズ値６０％以上となる光拡散性を有する光拡散層を設けたことを特徴とする光学部材である。
【００１７】
本発明の請求項８に係る発明は、上記請求項１乃至７のいずれか１項に係る光学部材において、前記透明支持体層１６と第２の透明支持体層１３の主成分が同じであり、且つ線膨張係数がほぼ等しいことを特徴とする光学部材である。
【００１８】
本発明の請求項９に係る発明は、上記請求項１乃至８のいずれか１項に係る光学部材において、前記透明支持体層１６と第２の透明支持体層１３が、それぞれ互いの成形時の流れ方向が、互いに平行になるように貼り合わせられていることを特徴とする光学部材である。
【００１９】
本発明の請求項１０に係る発明は、上記請求項１乃至９のいずれか１項に係る光学部材において、前記透光性基材層１１と透明支持体層１６が、それぞれ互いの成形時の流れ方向が互いに平行になるように貼り合わせられていることを特徴とする光学部材である。
【００２０】
本発明の請求項１１に係る発明は、上記請求項１乃至１０のいずれか１項に係る光学部材において、前記透光性基材層１１と第２の透明支持体層１６が、それぞれ互いの成形時の流れ方向が互いに平行になるように貼り合わせられていることを特徴とする光学部材である。
【００２１】
本発明の請求項１２に係る発明は、上記請求項１乃至１１のいずれか１項に係る光学部材において、前記透明支持体層１６のレンズアレイ１７面が前記透光性基材層１１側を向くように貼り合わせられていることを特徴とする光学部材である。
【００２２】
本発明の請求項１３に係る発明は、上記請求項１乃至１２のいずれか１項に係る光学部材において、前記第２の透明支持体層１３が光学部材に一定形状の反りを付与した時のねじれ（左右の反り量の差）を抑制することを特徴とする光学部材である。
【００２３】
本発明の請求項１４に係る発明は、上記請求項１乃至１３のいずれか１項に係る光学部材において、前記第２の透明支持体層１３が光学部材に対して軟化点近傍の温度で反り付けを行ったときの反り量を抑制することを特徴とする光学部材である。
【００２４】
本発明の請求項１５に係る発明は、上記請求項１乃至１４のいずれか１項に係る光学部材において、前記第２の透明支持体層１３が光学部材の断裁における光学部材角部に発生する刃潰れを抑制することを特徴とする光学部材である。
【００２５】
本発明の請求項１６に係る発明は、上記請求項１乃至１５のいずれか１項に係る光学部材を用いた背面投影型リアスクリーンであって、前記光学部材の透光性基材層１１側である映像投影側にフレネルレンズシートが配置されていることを特徴とする背面投影型リアスクリーンである。
【００２６】
本発明の請求項１７に係る発明は、上記請求項１乃至１５のいずれか１項に係る光学部材を製造する光学部材の製造方法であって、前記光学部材の透明支持体層１６のレンズアレイ１７と反対面に遮光層１５を設けた後に、該透明支持体層１６の遮光層１５側に、前記光学部材の第２の透明支持体層１３を第２の粘着剤層１４を介して貼り合わせ、その後に、該第２の透明支持体層１３に前記光学部材の透光性基材層１１を第１の粘着剤層１２を介して貼り合わせることを特徴とする光学部材の製造方法である。
【００２７】
本発明の請求項１８に係る発明は、上記請求項１乃至１５のいずれか１項に係る光学部材を製造する光学部材の製造方法であって、前記光学部材の透光性基材層１１の片面に遮光層１５を設けた後に、前記光学部材の透明支持体層１６のレンズアレイ１７と反対面に第２の透明支持体層１３を第２の粘着剤層１４を介して貼り合わせ、その後に、該第２の透明支持体層１３に前記透光性基材層１１の遮光層１５側を第１の粘着剤層１２を介して貼り合わせることを特徴とする光学部材の製造方法である。
【００２８】
本発明の請求項１９に係る発明は、上記請求項１６に係る背面投影型リアスクリーンを製造する背面投影型リアスクリーンの製造方法であって、前記背面投影型リアスクリーンの透明支持体層１６のレンズアレイ１７と反対面に遮光層１５を設けた後に、該透明支持体層１６の遮光層１５側に前記背面投影型リアスクリーンの第２の透明支持体層１３を第２の粘着剤層１４を介して貼り合わせ、その後に、該第２の透明支持体層１３に前記背面投影型リアスクリーンの透光性基材層１１を第１の粘着剤層１２を介して貼り合わせることを特徴とする背面投影型リアスクリーンの製造方法である。
【００２９】
本発明の請求項２０に係る発明は、上記請求項１６に係る背面投影型リアスクリーンを製造する背面投影型リアスクリーンの製造方法であって、前記背面投影型リアスクリーンの透光性基材層１１の片面に遮光層１５を設けた後に、前記背面投影型リアスクリーンの透明支持体層１６のレンズアレイ１７と反対面に第２の透明支持体層１３を第２の粘着剤層１４を介して貼り合わせ、その後に、該第２の透明支持体層１３に前記透光性基材層１１の遮光層１５側を第１の粘着剤層１２を介して貼り合わせることを特徴とする光学部材の製造方法である。
【発明の効果】
【００３０】
本発明の請求項１乃至１５に係る光学部材、及び請求項１６に係る背面投影型リアスクリーンによれば、透光性基材層１１と、レンズアレイ１７を表面に有する透明支持体層１６とを粘着剤層１４を介して貼り合わせ、前記透光性基材層１１と透明支持体層１６との間に更に第２の透明支持体層１３を積層形成したので、リアプロジェクションテレビや背面投影型ディスプレイ等のスクリーンである背面投影型リアスクリーンの環境特性を良好
にするために、スクリーンの樹脂軟化点の近傍の温度で反り付けを行った場合に、その反り量や、ねじれ量を抑制することが可能になり、特に、スクリーンの角部に発現し易い刃潰れなどを抑制することが可能になり、温度や湿度等のスクリーン環境に対する環境特性やスクリーン性能の良好な背面投影型リアスクリーンを提供することができる。
【発明を実施するための最良の形態】
【００３１】
本発明の光学部材を、図１及び図２に示す本発明に係るシート状の光学部材の積層構成の一例を示した断面図に基づいて、以下に詳細に説明する。
【００３２】
本発明の光学部材は、例えば、図１に示すような積層構成であり、透光性基材層１１、第１の粘着剤層１２、第２の透明支持体層１３、第２の粘着剤層１４、遮光部１５ａ（ブラックマトリツクス部）と光透過部１５ｂ（収光部）とからなる遮光層１５、透明支持体層１６（第１の透明支持体層）、シリンドリカルレンズ群又は凸レンズ群からなるレンチキュラーレンズ又はマイクロレンズなどの所定のレンズ形状によるレンズアレイ１７から構成される。なお、レンズアレイ１７のレンズ形状は特に限定されない。
【００３３】
図１に示すように、レンズアレイ層１７側に入射光Ｌとして平行光が入射した場合、その入射光Ｌは、レンズアレイ１７の各々単位レンズ１７ａ（シリンドリカルレンズ又は凸レンズ）によって遮光層１５の光透過部１５ｂに所定収光幅にて収光するようになっている。
【００３４】
そして、遮光層１５の光透過部１５ｂに所定収光幅にて収光した入射光Ｌは、第２の透明支持体層１３と透光性基材層１１に入射して、透光性基材層１１の外側に出射する。
【００３５】
また、本発明の光学部材は、例えば、図２に示すような積層構成であり、透光性基材層１１、遮光部１５ａ（ブラックマトリツクス部）と光透過部１５ｂ（収光部）とからなる遮光層１５、第１の粘着剤層１２、第２の透明支持体層１３、第２の粘着剤層１４、透明支持体層１６（第１の透明支持体層）、シリンドリカルレンズ群又は凸レンズ群からなるレンチキュラーレンズ又はマイクロレンズなどの所定のレンズ形状によるレンズアレイ１７から構成される。なお、レンズアレイ１７のレンズ形状は特に限定されない。
【００３６】
図２に示すように、該レンズアレイ層１７側に入射光Ｌとして平行光が入射した場合、その入射光Ｌは、レンズアレイ１７の各々単位レンズ１７ａ（シリンドリカルレンズ又は凸レンズ）によって収光しながら第２の透明支持体層１３に入射した後、遮光層１５の光透過部１５ｂに所定収光幅にて収光するようになっている。
【００３７】
そして、遮光層１５の光透過部１５ｂに所定収光幅にて収光した入射光Ｌは、透光性基材層１１に入射して透光性基材層１１の外側に出射する。
【００３８】
本発明の光学部材の前記透明支持体層１６（第１の透明支持体層）の表面に形成されたレンズアレイ１７のレンズ形状は、例えば、図１に示すように、垂直一次元方向を長手方向とするシリンドリカルレンズの単位レンズ１７ａを水平方向に平行に複数単位並列したレンチキュラーレンズからなるレンズアレイ１７である。なお、各々単位レンズ１７ａのレンズ曲率半径とレンズ高さ及びレンズアレイ１７のレンズピッチ（単位レンズ幅）は、それぞれ同一値に設定されていることが適当である。
【００３９】
また、本発明の光学部材の前記透明支持体層１６（第１の透明支持体層）の表面に形成されたレンズアレイ１７のレンズ形状は、例えば、図２に示すように、垂直一次元方向を長手方向とするシリンドリカルレンズの単位レンズ１７ａを水平方向に平行に複数単位並列し、水平一次元方向を長手方向とするシリンドリカルレンズの単位レンズ１７ｂを垂直
方向に平行に平面的に複数単位並列したクロスレンチキュラーレンズからなるレンズアレイ１７である。なお、各々単位レンズ１７ａ、１７ｂのレンズ曲率半径とレンズ高さ、及びレンズアレイ１７のレンズピッチ（単位レンズ幅）は、それぞれ同一値に設定されていることが適当である。
【００４０】
また、本発明の光学部材の前記透明支持体層１６（第１の透明支持体層）の表面に形成されたレンズアレイ１７のレンズ形状は、例えば、図３に示すように、二次元方向に平面的に片側凸レンズ状の単位レンズ１７ａを、枡目状の略マトリックス状に複数単位配列したマイクロレンズからなるレンズアレイ１７である。なお、各々単位レンズ１７ａのレンズ曲率半径とレンズ高さ及びレンズアレイ１７のレンズピッチ（単位レンズ幅）は、それぞれ同一値に設定されていることが適当である。
【００４１】
また、本発明の光学部材の前記透明支持体層１６（第１の透明支持体層）の表面に形成されたレンズアレイ１７のレンズ形状は、例えば、図４に示すように、二次元方向に平面的に片側凸レンズ状の単位レンズ１７ａを、市松状の略マトリックス状に複数単位配列したマイクロレンズからなるレンズアレイ１７である。なお、各々単位レンズ１７ａのレンズ曲率半径とレンズ高さ及びレンズアレイ１７のレンズピッチ（単位レンズ幅）は、それぞれ同一値に設定されていることが適当である。なお、各々単位レンズ１７ａのレンズ曲率半径とレンズ高さ及びレンズアレイ１７のレンズピッチ（単位レンズ幅）は、それぞれ同一値に設定されていることが適当である。
【００４２】
また、本発明の光学部材の前記透明支持体層１６（第１の透明支持体層）の表面に形成されたレンズアレイ１７のレンズ形状は、例えば、図５に示すように、垂直一次元方向を長手方向とする断面形状が略台形であって該台形の下底を入射側その上底を観察者側とすると共に該台形の斜辺部分にはそれぞれ異なる透明屈折率層が形成された台形プリズムレンズの単位レンズ１７ａを水平方向に平行に複数単位並列した台形プリズムレンズ群からなるレンズアレイ１７である。
【００４３】
また、本発明の光学部材の前記透明支持体層１６（第１の透明支持体層）の表面に形成されたレンズアレイ１７のレンズ形状は、例えば、図６に示すように、垂直一次元方向を長手方向とする断面形状が略台形であって該台形の下底を入射側その上底を観察者側とすると共に該台形の斜辺部分にはそれぞれ異なる透明屈折率層が形成された台形プリズムレンズの単位レンズを水平方向に平行に複数単位並列し、水平一次元方向を長手方向とする前記単位レンズと同一形状の単位レンズを垂直方向に平行に複数単位並列したクロス台形プリズムレンズからなるレンズアレイ１７である。
【００４４】
また、本発明の光学部材の前記透明支持体層１６（第１の透明支持体層）の表面に形成されたレンズアレイ１７のレンズ形状は、例えば、図７に示すように、二次元方向に平面的に断面形状が略台形であって該台形の下底を入射側その上底を観察者側とすると共に該台形の斜辺部分にはそれぞれ異なる透明屈折率層が形成された台形プリズムレンズの単位レンズを枡目状の略マトリックス状に複数単位配列した台形プリズムレンズ群からなるレンズアレイ１７である。
【００４５】
また、本発明の光学部材の前記透明支持体層１６（第１の透明支持体層）の表面に形成されたレンズアレイ１７のレンズ形状は、例えば、図８に示すように、二次元方向に平面的に断面形状が略台形であって該台形の下底を入射側その上底を観察者側とすると共に該台形の斜辺部分にはそれぞれ異なる透明屈折率層が形成された台形プリズムレンズの単位レンズを市松状の略マトリックス状に複数単位配列した台形プリズムレンズ群からなるレンズアレイ１７である。
【００４６】
上記光学部材においては、前記透光性基材層１１の面、透明支持体層１６（第１の透明支持体層）のレンズアレイ１７と反対側の面、又は第２の透明支持体層１３の面のうち、少なくとも、いずれか１つの面には、ヘイズ値６０％以上となる光拡散性を有する光拡散層（光拡散性粗面を有するフィルム、シート、又は光拡散剤を混入したフィルム、シート）を設けるようにしてもよい。
【００４７】
あるいは、上記光学部材の透光性基材層１１、第２の透明支持体層１３、透明支持体層１６（第１の透明支持体層）のうち、いずれか１つの層には、ヘイズ値６０％以上となる光拡散性を付与するために光拡散剤を混入してもよい。
【００４８】
前記第１、第２の粘着剤層１２、１４としては、有機系、無機系に関わらず、光透過性の高いものが望ましい。例えば、アクリル系樹脂、スチレン系樹脂、ポリカーボネート系樹脂、アクリル／スチレン系共重合樹脂などの熱可塑性樹脂、あるいは光拡散材やティント剤などを含んでいてもよく、ケイ酸（又はガラス粉体又はビーズ）などからなる材料も併用することができる。
【００４９】
前記透光性基材層１１としては、有機系、無機系に関わらず、光透過性の高いものが望ましい。例えば、アクリル系樹脂、スチレン系樹脂、ポリカーボネート系樹脂、アクリル／スチレン系共重合樹脂などの熱可塑性樹脂、あるいは光拡散材やティント剤などを含んでいてもよく、ケイ酸（又はガラス粉体又はビーズ）などからなる材料も併用することができる。
【００５０】
光拡散材としては、有機系では、アクリル系樹脂、スチレン系樹脂、ポリカーボネート系樹脂、アクリル／スチレン系共重合樹脂など、無機系では、アルミナ、シリカ等が適当である。全光線透過率、拡散透過率、基材との屈折率差などの光学的性質や、表面の光沢や分散性等を考慮して選定することで、所定の光拡散基材を得ることができる。
【００５１】
透明支持体層１６（第１の透明支持体層）、及び第２の透明支持体層１３としては、例えば、アクリル系樹脂、ポリカーボネート系樹脂、スチレン系樹脂、アクリル／スチレン系共重合樹脂等の熱可塑性が適当である。
【００５２】
第１の透明支持体層１６となる樹脂シートの片面に遮光層１５を形成した光学部材を得る場合には、第１の透明支持体層１６の表面に形成されるレンズ群からなるレンズアレイ１７は、第１の透明支持体層１６を樹脂シートとして巻き出しながら、該透明支持体層１６の表面に、レンズアレイ１７となる樹脂シートを溶融押し出してラミネートしながら、レンズアレイ１７となる該樹脂シートの表面をロールスタンパ、平面スタンパなどのスタンパ（成型金型）を用いてレンズ成型することにより、第１の透明支持体層１６の表面にレンズ群からなるレンズアレイ１７を一体的に積層形成することができる。この場合、第１の透明支持体層１６となる樹脂シートには、その裏面に、予め遮光層１５をパターン形成したものを使用することができる。また、レンズアレイ１７に使用する樹脂の材質は、透明支持体層１６の樹脂と同じ材質を用いて一体成形することができる。そして、その後に、レンズアレイ１７を形成した第１の透明支持体層１６を、透光性基材層１１に第１の粘着剤層１２を介して貼り合わせることができる。
【００５３】
また、透光性基材層１１の片面に遮光層１５を形成した光学部材を得る場合には、第１の透明支持体層１６の表面に形成されるレンズ群からなるレンズアレイ１７は、第１の透明支持体層１６を樹脂シートとして巻き出し、又は溶融押し出し成形するとともに、該透明支持体層１６の表面に、レンズアレイ１７となる樹脂シートを溶融押し出し成形してラミネートしながら、レンズアレイ１７となる樹脂シートの表面をロールスタンパ、平面スタンパなどのスタンパ（成型金型）を用いてレンズ成型することにより、第１の透明支持
体層１６の表面にレンズ群からなるレンズアレイ１７を一体的に積層形成することができる。この場合、レンズアレイ１７に使用する樹脂の材質は、透明支持体層１６の樹脂と同じ材質を用いて一体成形する。そして、その後に、レンズアレイ１７を形成した第１の透明支持体層１６を、片面に遮光層１５を形成した透光性基材層１１の遮光層１５側に第１の粘着剤層１２を介して貼り合わせることができる。
【００５４】
また、第１の透明支持体層１６の使用樹脂中には、光拡散材やティント剤などを予め練り込むことにより、レンズアレイ１７と溶融押し出しラミネート形成することも可能である。
【００５５】
その他に、第１の透明支持体層１６の表面に形成されるレンズ群からなるレンズアレイ１７の成型方法としては、プレス法、キャスティング法、または平面スタンパ、ロールスタンパなどの成型用金型の凹凸形成面に、レンズアレイ１７のレンズ成型用樹脂として、紫外線硬化型樹脂や電子線硬化型樹脂等の電離放射線硬化型樹脂を塗布又は注入し、その上に、片面に遮光層１５を形成した第１の透明支持体層１６となる樹脂シート（レンズ成型用樹脂に対して親和性と接着性のある樹脂：レンズ成型用樹脂と同一の材質の樹脂）を基材として配し、続いて、電離放射線の照射を行って、レンズ成型用樹脂の硬化処理を行うとともに、レンズアレイ１７と第１の透明支持体層１６とのラミネートを行った後、成型用金型の凹凸形成面から離型するという方法も可能である。上記電離放射線樹脂には、光硬化時に成形型との離型性がよく、レンズとした時の耐光性が良好で、硬化したレンズが硬いものが好ましい。また、ここで、第１の透明支持体層１６となる基材としては、板状のものに限らず、フィルム状のものでも良い。
【００５６】
本発明の背面投影型リアスクリーンは、図９に示すように、請求項１乃至１５のいずれか１項に係る上記光学部材を用いた背面投影型リアスクリーンであって、図１〜図８に示す光学部材のレンズアレイ１７側である映像投影側には、平行光を形成するためのフレネルレンズシート１８が配置されているものである。
【００５７】
図９に示すように、画像投影機２０（プロジェクター）のレンズ光学系から投影された投影画像光Ｌ1 は、フレネルレンズシート１８により平行光Ｌ2 となってレンズアレイ１７に入射し、平行光Ｌ2 は、レンズアレイ１７の各々単位レンズ１７ａ（レンチキュラーレンズ、マイクロレンズ、台形プリズムレンズ）、又はクロスレンチキュラーレンズ、クロス台形プリズムレンズの各々単位レンズ１７ａ、１７ｂによって、遮光層１５の光透過部１５ｂに画像光Ｌ3 として収光する。
【００５８】
そして、光透過部１５ｂに収光した画像光Ｌ3 は、光拡散剤を混入した第２の透明支持体層１３又は光拡散剤を混入した透明基材層１１のいずれか１層を光拡散層として、又は第２の透明支持体層１３と透明基材層１１のいずれか１層に設けた光拡散層を介して、透明基材層１１側から、投影画像光Ｌ1 による画像を観察することができる。
【００５９】
以下に本発明の具体的実施例について以下に説明する。
【実施例】
【００６０】
＜実施例１＞
厚さ１．９ｍｍのヘイズ値Ｈ（曇り価）８０％のメチルメタアクリレート−スチレン共重合体（ＭＳ）樹脂板からなる透光性基材層１１に、厚さ０．０７５ｍｍのポリエチレンテレフタレート（ＰＥＴ）フィルムによる第２の透明支持体層１３と、垂直一次元方向を長手方向とするシリンドリカルレンズの単位レンズを水平方向に平行に複数単位並列したレンチキュラーレンズからなるレンズアレイ１７を表面に有する厚さ０．０７５ｍｍのポリエチレンテレフタレート（ＰＥＴ）フィルムによる透明支持体層１６とを貼り合わせて
、レンチキュラーレンズシートからなる本発明の光学部材（サイズ；横９６０ｍｍ×縦５６０ｍｍ）を作製した。
【００６１】
Ｈ＝［Ｔd （拡散透過率）／Ｔt （全光線透過率）］×１００  （％）
＜比較例１＞
上記実施例１における厚さ０．０７５ｍｍのポリエチレンテレフタレート（ＰＥＴ）フィルムによる第２の透明支持体層１３を省略した以外は、上記実施例１と同様にして、レンチキュラーレンズシートからなる比較例の光学部材（サイズ；横９６０ｍｍ×縦５６０ｍｍ）を作製した。
【００６２】
＜比較結果＞
上記実施例１と比較例１により得られたそれぞれ光学部材を、ＭＳ樹脂の軟化点である８８℃より高い９０℃にて反り付けを行ったところ、実施例１の光学部材は、比較例１の光学部材に比較して、短辺（縦方向）、長辺（横方向）共に反り量が少なく、また、部材全体の捻じれ量も少なく抑えられた。
【図面の簡単な説明】
【００６３】
【図１】本発明の光学部材の一例を示した模式断面図。
【図２】本発明の光学部材の一例を示した模式断面図。
【図３】本発明の光学部材の一例を示した模式断面図。
【図４】本発明の光学部材の一例を示した模式断面図。
【図５】本発明の光学部材の一例を示した模式断面図。
【図６】本発明の光学部材の一例を示した模式断面図。
【図７】本発明の光学部材の一例を示した模式断面図。
【図８】本発明の光学部材の一例を示した模式断面図。
【図９】本発明の背面投影型リアスクリーンの一例を示した模式断面図。
【符号の説明】
【００６４】
１１…透光性基材層
１２…第１の粘着剤層
１３…第２の透明支持体層
１４…第２の粘着剤層
１５…遮光層
１５ａ…遮光部
１５ｂ…光透過部
１６…第１の透明支持体層
１７…レンズアレイ
１７ａ…単位レンズ
１８…フレネルレンズシート
【図１】
2006235447.tif 000003
【図２】
2006235447.tif 000004
【図３】
2006235447.tif 000005
【図４】
2006235447.tif 000006
【図５】
2006235447.tif 000007
【図６】
2006235447.tif 000008
【図７】
2006235447.tif 000009
【図８】
2006235447.tif 000010
【図９】
2006235447.tif 000011